【手続補正書】
【提出日】平成20年2月25日(2008.2.25)
【手続補正１】
【補正対象書類名】明細書
【補正対象項目名】特許請求の範囲
【補正方法】変更
【補正の内容】
【特許請求の範囲】
【請求項１】
各種の情報の表示を行う表示手段と、該表示手段に表示する表示内容の表示制御を行う表示制御手段と、該表示手段に表示する情報の選択を受け付ける表示情報選択手段と、遊技者が所有する遊技者特定記録媒体を受け付けて該遊技者特定記録媒体に記録された前記遊技者を特定可能な遊技者特定情報を読み取る読取手段と、を含み、遊技機に対応して設けられる情報表示手段と、
該読取手段にて前記遊技者特定記録媒体を受け付けたことに基づいて、前記遊技機での遊技に関連して発生する遊技情報を前記受け付けた遊技者特定記録媒体の遊技者特定情報から特定される遊技者個人の個人遊技情報として記憶を開始するための処理を行う個人遊技情報記憶開始手段と、
該遊技機での遊技が終了したと判断された場合に、前記個人遊技情報の記憶を終了するための処理を行う個人遊技情報記憶終了手段と、
前記個人遊技情報記憶開始手段における処理に基づく前記記憶の開始から前記個人遊技情報記憶終了手段における処理に基づく前記記憶の終了までの間に発生した前記個人遊技情報を集計する個人遊技情報集計手段と、
該個人遊技情報集計手段にて集計された前記個人遊技情報を前記遊技者特定情報及び遊技者が遊技を行った日付と対応付けて前記遊技者個人の個人遊技履歴として記憶する個人遊技履歴記憶手段と、からなり、
前記表示情報選択手段は、前記読取手段にて前記遊技者特定記録媒体を受け付けたことに基づいて、前記表示手段に表示する前記個人遊技履歴の選択を受け付け、
前記表示制御手段は、該表示情報選択手段における選択に基づいて前記個人遊技履歴記憶手段から抽出された前記個人遊技履歴を表示する表示制御を行うことを特徴とする遊技用システム。
【請求項２】
遊技者が所有する遊技者特定記録媒体を受け付けて該遊技者特定記録媒体に記録された前記遊技者を特定可能な遊技者特定情報を読み取る第１の読取手段を少なくとも含み、遊技機に対応して設けられる遊技者特定記録媒体処理手段と、
該第１の読取手段にて前記遊技者特定記録媒体を受け付けたことに基づいて、前記遊技機での遊技に関連して発生する遊技情報を前記受け付けた遊技者特定記録媒体の遊技者特定情報から特定される遊技者個人の個人遊技情報として記憶を開始するための処理を行う個人遊技情報記憶開始手段と、
該遊技機での遊技が終了したと判断された場合に、前記個人遊技情報の記憶を終了するための処理を行う個人遊技情報記憶終了手段と、
前記個人遊技情報記憶開始手段における処理に基づく前記記憶の開始から前記個人遊技情報記憶終了手段における処理に基づく前記記憶の終了までの間に発生した前記個人遊技情報を集計する個人遊技情報集計手段と、
該個人遊技情報集計手段にて集計された前記個人遊技情報を前記遊技者特定情報及び遊技者が遊技を行った日付と対応付けて前記遊技者個人の個人遊技履歴として記憶する個人遊技履歴記憶手段と、
前記個人履歴情報を含む各種の情報の表示を行う表示手段と、該表示手段に表示する表示内容の表示制御を行う表示制御手段と、該表示手段に表示する情報の選択を受け付ける表示情報選択手段と、前記遊技者特定記録媒体を受け付けて該遊技者特定記録媒体に記録された前記遊技者特定情報を読み取る第２の読取手段と、を含み、遊技場内の所定箇所に設けられる情報表示手段と、からなり、
前記表示情報選択手段は、前記第２の読取手段にて前記遊技者特定記録媒体を受け付けたことに基づいて、前記表示手段に表示する前記個人遊技履歴の選択を受け付け、
前記表示制御手段は、該表示情報選択手段における選択に基づいて前記個人遊技履歴記憶手段から抽出された前記個人遊技履歴を表示する表示制御を行うことを特徴とする遊技用システム。
【請求項３】
請求項２に記載した遊技用システムであって、
前記遊技者特定記録媒体処理手段は、
前記個人履歴情報を含む各種の情報の表示を行う表示手段と、該表示手段に表示する表示内容の表示制御を行う表示制御手段と、該表示手段に表示する情報の選択を受け付ける表示情報選択手段と、をさらに含み、
該表示情報選択手段は、前記第１の読取手段にて前記遊技者特定記録媒体を受け付けたことに基づいて、該表示手段に表示する前記個人遊技履歴の選択を受け付け、
該表示制御手段は、該表示情報選択手段における選択に基づいて前記個人遊技履歴記憶手段から抽出された前記個人遊技履歴を表示する表示制御を行うことを特徴とする遊技用システム。
【請求項４】
請求項１〜３のいずれか１つに記載した遊技用システムであって、
前記表示情報選択手段は、前記遊技者特定記録媒体を受け付けたことに基づいて、前記表示手段に表示する前記個人遊技履歴の日付の選択を受け付け、
前記表示制御手段は、該表示情報選択手段における日付の選択に基づいて前記個人遊技履歴記憶手段から抽出された前記日付に対応する個人遊技履歴を表示する表示制御を行うことを特徴とする遊技用システム。
【請求項５】
請求項４に記載した遊技用システムであって、
前記表示制御手段は、前記個人遊技履歴記憶手段に記憶されている前記個人遊技履歴の日付を表示する表示制御を行い、
前記表示情報選択手段は、該表示された日付のうちから前記表示手段に表示する前記個人遊技履歴の日付の選択を受け付け、
前記表示制御手段は、該表示情報選択手段における日付の選択に基づいて前記個人遊技履歴記憶手段から抽出された前記日付に対応する個人遊技履歴を表示する表示制御を行うことを特徴とする遊技用システム。
【請求項６】
請求項１〜５のいずれか１つに記載した遊技用システムであって、
前記個人遊技履歴記憶手段は、前記個人遊技情報集計手段にて集計された前記個人遊技情報を前記遊技者が遊技をした遊技機の機種を特定可能な機種特定情報とも対応付けて前記遊技者個人の個人遊技履歴として記憶し、
前記表示制御手段は、該個人遊技履歴記憶手段に記憶されている機種特定情報に基づいて前記個人遊技履歴を前記遊技機の機種毎に表示する表示制御を行うことを特徴とする遊技用システム。
【請求項７】
請求項１〜６のいずれか１つに記載した遊技用システムであって、
前記個人遊技履歴記憶手段に前記日付と対応付けて記憶されている前記個人遊技履歴を所定期間について集計する個人遊技履歴集計手段をさらに備え、
前記表示制御手段は、該個人遊技履歴集計手段にて集計された所定期間の前記個人遊技履歴を表示する表示制御を行うことを特徴とする遊技用システム。
【請求項８】
請求項７に記載した遊技用システムであって、
前記所定期間の設定を受け付ける所定期間設定手段をさらに備えることを特徴とする遊技用システム。
【請求項９】
請求項１〜８のいずれか１つに記載した遊技用システムであって、
前記遊技機での遊技に関連して発生する遊技情報を該遊技機を特定可能な遊技機特定情報と対応付けて各遊技機の遊技機遊技情報として記憶する遊技機遊技情報記憶手段をさらに備え、
前記表示情報選択手段は、前記表示手段に表示する前記遊技機遊技情報の選択を受け付け、
前記表示制御手段は、該表示情報選択手段における選択に基づいて前記遊技機遊技情報記憶手段から抽出された前記遊技機遊技情報を表示する表示制御を行うことを特徴とする遊技用システム。
【請求項１０】
請求項１〜９のいずれか１つに記載した遊技用システムであって、
前記遊技者が指定した電子メールアドレス宛に前記個人遊技履歴を含む電子メールを送信する電子メール送信手段をさらに備えることを特徴とする遊技用システム。
【請求項１１】
請求項１０に記載した遊技用システムであって、
前記電子メールに前記遊技をした遊技場名を含むことを特徴とする遊技用システム。
【手続補正２】
【補正対象書類名】明細書
【補正対象項目名】０００８
【補正方法】変更
【補正の内容】
【０００８】
まず請求項１に係る発明は、各種の情報の表示を行う表示手段と、該表示手段に表示する表示内容の表示制御を行う表示制御手段と、該表示手段に表示する情報の選択を受け付ける表示情報選択手段と、遊技者が所有する遊技者特定記録媒体を受け付けて該遊技者特定記録媒体に記録された前記遊技者を特定可能な遊技者特定情報を読み取る読取手段と、を含み、遊技機に対応して設けられる情報表示手段と、該読取手段にて前記遊技者特定記録媒体を受け付けたことに基づいて、前記遊技機での遊技に関連して発生する遊技情報を前記受け付けた遊技者特定記録媒体の遊技者特定情報から特定される遊技者個人の個人遊技情報として記憶を開始するための処理を行う個人遊技情報記憶開始手段と、該遊技機での遊技が終了したと判断された場合に、前記個人遊技情報の記憶を終了するための処理を行う個人遊技情報記憶終了手段と、前記個人遊技情報記憶開始手段における処理に基づく前記記憶の開始から前記個人遊技情報記憶終了手段における処理に基づく前記記憶の終了までの間に発生した前記個人遊技情報を集計する個人遊技情報集計手段と、該個人遊技情報集計手段にて集計された前記個人遊技情報を前記遊技者特定情報及び遊技者が遊技を行った日付と対応付けて前記遊技者個人の個人遊技履歴として記憶する個人遊技履歴記憶手段と、からなり、前記表示情報選択手段は、前記読取手段にて前記遊技者特定記録媒体を受け付けたことに基づいて、前記表示手段に表示する前記個人遊技履歴の選択を受け付け、前記表示制御手段は、該表示情報選択手段における選択に基づいて前記個人遊技履歴記憶手段から抽出された前記個人遊技履歴を表示する表示制御を行うことを特徴とする遊技用システムである。
【手続補正３】
【補正対象書類名】明細書
【補正対象項目名】０００９
【補正方法】変更
【補正の内容】
【０００９】
また請求項２に係る発明は、遊技者が所有する遊技者特定記録媒体を受け付けて該遊技者特定記録媒体に記録された前記遊技者を特定可能な遊技者特定情報を読み取る第１の読取手段を少なくとも含み、遊技機に対応して設けられる遊技者特定記録媒体処理手段と、該第１の読取手段にて前記遊技者特定記録媒体を受け付けたことに基づいて、前記遊技機での遊技に関連して発生する遊技情報を前記受け付けた遊技者特定記録媒体の遊技者特定情報から特定される遊技者個人の個人遊技情報として記憶を開始するための処理を行う個人遊技情報記憶開始手段と、該遊技機での遊技が終了したと判断された場合に、前記個人遊技情報の記憶を終了するための処理を行う個人遊技情報記憶終了手段と、前記個人遊技情報記憶開始手段における処理に基づく前記記憶の開始から前記個人遊技情報記憶終了手段における処理に基づく前記記憶の終了までの間に発生した前記個人遊技情報を集計する個人遊技情報集計手段と、該個人遊技情報集計手段にて集計された前記個人遊技情報を前記遊技者特定情報及び遊技者が遊技を行った日付と対応付けて前記遊技者個人の個人遊技履歴として記憶する個人遊技履歴記憶手段と、前記個人履歴情報を含む各種の情報の表示を行う表示手段と、該表示手段に表示する表示内容の表示制御を行う表示制御手段と、該表示手段に表示する情報の選択を受け付ける表示情報選択手段と、前記遊技者特定記録媒体を受け付けて該遊技者特定記録媒体に記録された前記遊技者特定情報を読み取る第２の読取手段と、を含み、遊技場内の所定箇所に設けられる情報表示手段と、からなり、前記表示情報選択手段は、前記第２の読取手段にて前記遊技者特定記録媒体を受け付けたことに基づいて、前記表示手段に表示する前記個人遊技履歴の選択を受け付け、前記表示制御手段は、該表示情報選択手段における選択に基づいて前記個人遊技履歴記憶手段から抽出された前記個人遊技履歴を表示する表示制御を行うことを特徴とする遊技用システムである。
【手続補正４】
【補正対象書類名】明細書
【補正対象項目名】００１０
【補正方法】変更
【補正の内容】
【００１０】
また請求項３に係る発明は、請求項２に記載した遊技用システムであって、前記遊技者特定記録媒体処理手段は、前記個人履歴情報を含む各種の情報の表示を行う表示手段と、該表示手段に表示する表示内容の表示制御を行う表示制御手段と、該表示手段に表示する情報の選択を受け付ける表示情報選択手段と、をさらに含み、該表示情報選択手段は、前記第１の読取手段にて前記遊技者特定記録媒体を受け付けたことに基づいて、該表示手段に表示する前記個人遊技履歴の選択を受け付け、該表示制御手段は、該表示情報選択手段における選択に基づいて前記個人遊技履歴記憶手段から抽出された前記個人遊技履歴を表示する表示制御を行うことを特徴とする遊技用システムである。
【手続補正５】
【補正対象書類名】明細書
【補正対象項目名】００１１
【補正方法】変更
【補正の内容】
【００１１】
また請求項４に係る発明は、請求項１〜３のいずれか１つに記載した遊技用システムであって、前記表示情報選択手段は、前記遊技者特定記録媒体を受け付けたことに基づいて、前記表示手段に表示する前記個人遊技履歴の日付の選択を受け付け、前記表示制御手段は、該表示情報選択手段における日付の選択に基づいて前記個人遊技履歴記憶手段から抽出された前記日付に対応する個人遊技履歴を表示する表示制御を行うことを特徴とする遊技用システムである。
【手続補正６】
【補正対象書類名】明細書
【補正対象項目名】００９９
【補正方法】変更
【補正の内容】
【００９９】
まず請求項１に係る発明は、各種の情報の表示を行う表示手段（ディスプレイ３５）と、該表示手段に表示する表示内容の表示制御を行う表示制御手段（制御部３２）と、該表示手段に表示する情報の選択を受け付ける表示情報選択手段（ディスプレイ３５）と、遊技者が所有する遊技者特定記録媒体（会員カード５）を受け付けて該遊技者特定記録媒体に記録された前記遊技者を特定可能な遊技者特定情報（会員ＩＤ）を読み取る読取手段（会員カードＲ／Ｗ３４）と、を含み、遊技機（パチンコ機２０）に対応して設けられる情報表示手段（カードユニット３０）と、該読取手段にて前記遊技者特定記録媒体を受け付けたことに基づいて、前記遊技機での遊技に関連して発生する遊技情報を前記受け付けた遊技者特定記録媒体の遊技者特定情報から特定される遊技者個人の個人遊技情報として記憶を開始するための処理を行う個人遊技情報記憶開始手段（制御部３２）と、該遊技機での遊技が終了したと判断された場合に、前記個人遊技情報の記憶を終了するための処理を行う個人遊技情報記憶終了手段（制御部３２）と、前記個人遊技情報記憶開始手段における処理に基づく前記記憶の開始から前記個人遊技情報記憶終了手段における処理に基づく前記記憶の終了までの間に発生した前記個人遊技情報を集計する個人遊技情報集計手段（制御部５２）と、
該個人遊技情報集計手段にて集計された前記個人遊技情報を前記遊技者特定情報及び遊技者が遊技を行った日付と対応付けて前記遊技者個人の個人遊技履歴として記憶する個人遊技履歴記憶手段（個人遊技履歴ＤＢ５３ｂ）と、からなり、前記表示情報選択手段は、前記読取手段にて前記遊技者特定記録媒体を受け付けたことに基づいて、前記表示手段に表示する前記個人遊技履歴の選択を受け付け、前記表示制御手段は、該表示情報選択手段における選択に基づいて前記個人遊技履歴記憶手段から抽出された前記個人遊技履歴を表示する表示制御を行うことを特徴とする遊技用システム（１）である。
【手続補正７】
【補正対象書類名】明細書
【補正対象項目名】０１００
【補正方法】変更
【補正の内容】
【０１００】
また請求項２に係る発明は、遊技機（パチンコ機２０）に対応して設けられ、遊技者が所有する遊技者特定記録媒体（会員カード５）を受け付けて該遊技者特定記録媒体に記録された前記遊技者を特定可能な遊技者特定情報（会員ＩＤ）を読み取る第１の読取手段（会員カードＲ／Ｗ３４）を少なくとも含み、遊技機に対応して設けられる遊技者特定記録媒体処理手段（カードユニット３０）と、該第１の読取手段にて前記遊技者特定記録媒体を受け付けたことに基づいて、前記遊技機での遊技に関連して発生する遊技情報を前記受け付けた遊技者特定記録媒体の遊技者特定情報から特定される遊技者個人の個人遊技情報として記憶を開始するための処理を行う個人遊技情報記憶開始手段（制御部３２）と、該遊技機での遊技が終了したと判断された場合に、前記個人遊技情報の記憶を終了するための処理を行う個人遊技情報記憶終了手段（制御部３２）と、前記個人遊技情報記憶開始手段における処理に基づく前記記憶の開始から前記個人遊技情報記憶終了手段における処理に基づく前記記憶の終了までの間に発生した前記個人遊技情報を集計する個人遊技情報集計手段（制御部５２）と、該個人遊技情報集計手段にて集計された前記個人遊技情報を前記遊技者特定情報及び遊技者が遊技を行った日付と対応付けて前記遊技者個人の個人遊技履歴として記憶する個人遊技履歴記憶手段（個人遊技履歴ＤＢ５３ｂ）と、前記個人履歴情報を含む各種の情報の表示を行う表示手段（ディスプレイ１５）と、該表示手段に表示する表示内容の表示制御を行う表示制御手段（制御部１２）と、該表示手段に表示する情報の選択を受け付ける表示情報選択手段（ディスプレイ１５）と、前記遊技者特定記録媒体を受け付けて該遊技者特定記録媒体に記録された前記遊技者特定情報を読み取る第２の読取手段（会員カードＲ／Ｗ１４）と、を含み、遊技場内の所定箇所に設けられる情報表示手段（情報端末１０）と、からなり、前記表示情報選択手段は、前記第２の読取手段にて前記遊技者特定記録媒体を受け付けたことに基づいて、前記表示手段に表示する前記個人遊技履歴の選択を受け付け、前記表示制御手段は、該表示情報選択手段における選択に基づいて前記個人遊技履歴記憶手段から抽出された前記個人遊技履歴を表示する表示制御を行うことを特徴とする遊技用システム（１）である。
【手続補正８】
【補正対象書類名】明細書
【補正対象項目名】０１０１
【補正方法】変更
【補正の内容】
【０１０１】
また請求項３に係る発明は、請求項２に記載した遊技用システム（１）であって、前記遊技者特定記録媒体処理手段（カードユニット３０）は、前記個人履歴情報を含む各種の情報の表示を行う表示手段（ディスプレイ３５）と、該表示手段に表示する表示内容の表示制御を行う表示制御手段（制御部３２）と、該表示手段に表示する情報の選択を受け付ける表示情報選択手段（ディスプレイ３５）と、をさらに含み、該表示情報選択手段は、前記第１の読取手段（会員カードＲ／Ｗ３４）にて前記遊技者特定記録媒体（会員カード５）を受け付けたことに基づいて、該表示手段に表示する前記個人遊技履歴の選択を受け付け、該表示制御手段は、該表示情報選択手段における選択に基づいて前記個人遊技履歴記憶手段から抽出された前記個人遊技履歴を表示する表示制御を行うことを特徴とする遊技用システムである。
【手続補正９】
【補正対象書類名】明細書
【補正対象項目名】０１０２
【補正方法】変更
【補正の内容】
【０１０２】
また請求項４に係る発明は、請求項１〜３のいずれか１つに記載した遊技用システム（１）であって、前記表示情報選択手段（ディスプレイ１５又は３５）は、前記遊技者特定記録媒体（会員カード５）を受け付けたことに基づいて、前記表示手段（ディスプレイ１５又は３５）に表示する前記個人遊技履歴の日付の選択を受け付け、前記表示制御手段は、該表示情報選択手段における日付の選択に基づいて前記個人遊技履歴記憶手段（個人遊技履歴ＤＢ５３ｂ）から抽出された前記日付に対応する個人遊技履歴を表示する表示制御を行うことを特徴とする遊技用システムである。